(57)【要約】【課題】本発明の課題は、規制が異なる販売対象国が増加しても製造コストおよび電源台の部品管理の負担を増大させない電気湯沸器を提供することである。【解決手段】本発明に係る電気湯沸器１００は、湯沸器本体２００および給電台５００を備える。湯沸器本体は、第１接点を有する。給電台は、第２接点、立壁５１３および外部電源接続線５５０，５６０を有する。第２接点は、湯沸器本体が載置された状態において第１接点と接触する。立壁には、形状および寸法の少なくとも一方が異なる複数の開口ＧＴ１，ＧＴ２が形成される。外部電源接続線は、第２接点と電気的に接続される。そして、この外部電源接続線は、複数の開口のいずれか１つの開口に選択的に通される。【選択図】図１３
2014233349.tif 000002
【特許請求の範囲】
【請求項１】
第１接点を有する湯沸器本体が載置された状態において前記第１接点と接触する第２接点と、
形状および寸法の少なくとも一方が異なる複数の開口が形成される立壁と、
前記第２接点と電気的に接続され、前記複数の開口のいずれか１つの開口に選択的に通される外部電源接続線と
を備える、電気湯沸器の給電台。
【請求項２】
前記複数の開口には、少なくとも２線式の外部電源接続線用の開口および３線式の外部電源接続線用の開口が含まれる
請求項１に記載の電気湯沸器の給電台。
【請求項３】
前記立壁を保持する表側部材と、
前記表側部材に係合可能である裏側部材と
をさらに備え、
前記裏側部材は、底面視において前記表側部材に対する取付角度を変えることによって、選択される１つの開口を開放すると共に他の開口の一部または全部を閉塞する
請求項１または２に記載の電気湯沸器の給電台。
【請求項４】
第１接点を有する湯沸器本体と、
前記湯沸器本体が載置された状態において前記第１接点と接触する第２接点と、形状および寸法の少なくとも一方が異なる複数の開口が形成される立壁と、前記第２接点と電気的に接続され、前記複数の開口のいずれか１つの開口に選択的に通される外部電源接続線とを有する給電台と
を備える、電気湯沸器。
【発明の詳細な説明】
【技術分野】
【０００１】
本発明は、電気ケトル、電気ポット等の電気湯沸器およびその給電台に関する。
【背景技術】
【０００２】
過去に「ケトル本体と、ケトル本体が着脱自在に載置されると共にケトル本体載置時にケトル本体に給電を行う電源台とから成る電気ケトル」が提案されている（例えば、特開２０１２−１１０５４４号公報等参照）。
【先行技術文献】
【特許文献】
【０００３】
【特許文献１】特開２０１２−１１０５４４号公報
【発明の概要】
【発明が解決しようとする課題】
【０００４】
ところで、電気ケトルは、国内のみならず海外にも販売されている。電気ケトルを海外で販売するためには、販売対象国の規制に沿った電源コードを使用する必要がある。このため、今日まで、販売対象国毎の電源コードの形状や太さ等に応じて複数種類の電源台を製造してきた。しかし、規制が異なる販売対象国が増加するに従って製造コストが増大すると共に、電源台の部品管理が難しくなってきた。
【０００５】
本発明の課題は、規制が異なる販売対象国が増加しても製造コストおよび電源台の部品管理の負担を増大させない電気湯沸器を提供することである。
【課題を解決するための手段】
【０００６】
本発明の第１局面に係る電気湯沸器の給電台は、第２接点、立壁および外部電源接続線を備える。第２接点は、第１接点を有する湯沸器本体が載置された状態において、第１接点と接触する。立壁には、形状および寸法の少なくとも一方が異なる複数の開口が形成される。外部電源接続線は、第２接点と電気的に接続される。そして、この外部電源接続線は、複数の開口のいずれか１つの開口に選択的に通される。
【０００７】
この電気湯沸器の給電台では、形状および寸法の少なくとも一方が異なる複数の開口が立壁に形成されており、その複数の開口のいずれか１つの開口に外部電源接続線が通される。このため、開口の形状や寸法を、各販売対象国における外部電源接続線の規制に対応したものにしておけば、規制が異なる販売対象国に電気湯沸器を販売する場合であっても一種類の給電台で足り、販売対象国毎にその規制に応じた給電台を製造する必要がない。したがって、電気湯沸器の給電台の金型の作製費等を大幅に削減することができると共に、給電台の部品管理を簡素にすることができる。よって、この電気湯沸器の給電台を採用すれば、規制が異なる販売対象国が増加しても製造コストおよび給電台の部品管理の負担を増大させることがない。
【０００８】
本発明の第１局面に係る電気湯沸器の給電台において、複数の開口には少なくとも２線式の外部電源接続線用の開口および３線式の外部電源接続線用の開口が含まれることが好ましい。
【０００９】
本発明の第１局面に係る電気湯沸器の給電台は表側部材および裏側部材をさらに備えることが好ましい。表側部材は、立壁を保持する。裏側部材は、表側部材に係合可能である。そして、裏側部材は、底面視において表側部材に対する取付角度を変えることによって、選択される１つの開口を開放すると共に他の開口の一部または全部を閉塞することが好ましい。このようにすれば、作業者が容易に取付ミスに気付くことができ、延いては不良品の発生を抑制することができるからである。
【００１０】
本発明の第２局面に係る電気湯沸器は、湯沸器本体および給電台を備える。湯沸器本体は、第１接点を有する。給電台は、第２接点、立壁および外部電源接続線を有する。第２接点は、湯沸器本体が載置された状態において第１接点と接触する。立壁には、形状および寸法の少なくとも一方が異なる複数の開口が形成される。外部電源接続線は、第２接点と電気的に接続される。そして、この外部電源接続線は、複数の開口のいずれか１つの開口に選択的に通される。
【００１１】
この電気湯沸器では、給電台において、形状および寸法の少なくとも一方が異なる複数の開口が立壁に形成されており、その複数の開口のいずれか１つの開口に外部電源接続線が通される。このため、開口の形状や寸法を、各販売対象国における外部電源接続線の規制に対応したものにしておけば、規制が異なる販売対象国に電気湯沸器を販売する場合であっても一種類の給電台で足り、販売対象国毎にその規制に応じた給電台を製造する必要がない。したがって、電気湯沸器の給電台の金型の作製費等を大幅に削減することができると共に、給電台の部品管理を簡素にすることができる。よって、この電気湯沸器を採用すれば、規制が異なる販売対象国が増加しても給電台の製造コストおよび給電台の部品管理の負担を増大させることがない。
【図面の簡単な説明】
【００１２】
【図１】本発明の実施の形態に係る電気ケトルの正面側斜視図である。
【図２】本発明の実施の形態に係る電気ケトルの平面図である。
【図３】図２のＡ−Ａ断面図である。
【図４】本発明の実施の形態に係る電気ケトルのケトル本体を図２のＢ−Ｂ線で切断したときの図である。
【図５】本発明の実施の形態に係る電気ケトルの容器ユニットの底面側斜視図である（ただし、プリントヒータの描画は省略されている。）。
【図６】本発明の実施の形態に係る電気ケトルの容器ユニットの底面図である。
【図７】本発明の実施の形態に係る電気ケトルの液体容器を図６のＣ−Ｃ線で切断したときの図である。
【図８】本発明の実施の形態に係る電気ケトルの容器ユニットに電装ユニットおよび温度過昇防止装置を取り付けたときの容器ユニットの底面図である。
【図９】図８のＤ−Ｄ断面図である。
【図１０】本発明の実施の形態に係る電気ケトルの電源台の上面側斜視図である。
【図１１】本発明の実施の形態に係る電気ケトルの電源台の下面側斜視図である。
【図１２】本発明の実施の形態に係る電気ケトルの電源台の上面側分解斜視図である。
【図１３】本発明の実施の形態に係る電気ケトルの電源台の下面側分解斜視図である。
【図１４】本発明の実施の形態に係る電気ケトルの電源台の本体の底面図である。
【図１５】本発明の実施の形態に係る電気ケトルの電源台の底面図である。
【図１６】本発明の実施の形態に係る電気ケトルの電源台の本体に三線仕様電源線を配線したときの電源台の本体の底面図である。
【図１７】本発明の実施の形態に係る電気ケトルの電源台の本体に三線仕様電源線を配線したときの電源台の底面図である。
【発明を実施するための形態】
【００１３】
＜本発明の実施の形態に係る電気ケトルの構成＞
本発明の実施の形態に係る電気ケトル１００は、図１に示されるように、主に、ケトル本体２００および電源台５００から構成される。なお、ケトル本体２００は、電源台５００に着脱自在に載置されている。電気ケトル１００の使用者は、お湯を沸かしたいときにケトル本体２００を電源台５００に載置し、お湯を使用するときにケトル本体２００を電源台５００から取り外すことができる。ケトル本体２００は、図１〜４に示されるように、主に、本体ユニット３００および蓋ユニット２５０から構成されている。なお、蓋ユニット２５０は、本体ユニット３００に着脱自在に装着されている。電気ケトル１００の使用者は、お湯を沸かすための水等を電気ケトル内の液体容器３２１（後述）に入れたいときにロックレバー機構２５５（後述）を解除状態にして本体ユニット３００から蓋ユニット２５０を取り外し、お湯を沸かす前に蓋ユニット２５０を本体ユニット３００に装着する。以下、本体ユニット３００、蓋ユニット２５０および電源台５００について詳述する。
【００１４】
１．本体ユニット
本体ユニット３００は、図１〜４に示されるように、主に、容器本体３１０および取っ手４００から構成されている。以下、容器本体３１０および取っ手４００について詳述する。
【００１５】
（１）容器本体
容器本体３１０は、図３および４に示されるように、主に、容器ユニット３２０、収容体３３０、電装ユニット３４０、温度過昇防止装置３５０（図８および９参照）から構成されている。以下、これらの構成要素について詳述する。
【００１６】
（１−１）容器ユニット
容器ユニット３２０は、図４〜６に示されるように、主に、液体容器３２１、プリントヒータ３２２、中央支持金具３２３および外周支持金具３２４Ａ，３２４Ｂ，３２４Ｃから構成されている。
【００１７】
液体容器３２１は、図５〜７に示されるように、側壁３２１Ａ、底壁３２１Ｂおよびフランジ３２１Ｃから形成されている。側壁３２１Ａは、ステンレス鋼製の円筒体である。底壁３２１Ｂは、ステンレス鋼から形成されており、図７に示されるように、主に、低段部分球面壁部３２１ｃおよび高段円環壁部３２１ｄから構成されている。図５および図６に示されるように、高段円環壁部３２１ｄは、平らな円環状板部分であって、低段部分球面壁部３２１ｃの外周部をなしている。なお、この高段円環壁部３２１ｄは、図７に示されるように、低段部分球面壁部３２１ｃの外縁よりも高い位置に位置している。そして、図７に示されるように、低段部分球面壁部３２１ｃが上に向かって凸となる状態で、高段円環壁部３２１ｄの外周部が側壁３２１Ａの下端に溶接されることによって、底壁３２１Ｂと側壁３２１Ａとが一体に接合されている。フランジ３２１Ｃは、図５および図６に示されるように、円環体であって、側壁３２１Ａの上端から外側に向かって延びている。また、この液体容器３２１の内周面には、フッ素樹脂等の耐蝕性樹脂（図示せず）が塗装されている。
【００１８】
プリントヒータ３２２は、図６に示されるように、主に、加熱線３２２Ａおよび絶縁被覆層３２２Ｂから構成されている。加熱線３２２Ａは、液体容器３２１の底壁３２１Ｂの低段部分球面壁部３２１ｃの下面側に設けられる絶縁体層上に、中央支持金具３２３を避けるようにして印刷されている。そして、この加熱線３２２Ａは端子接続部分（図示せず）を除いて絶縁被覆層３２２Ｂで覆われており、端子接続部分には電装ユニット３４０の接続端子（図示せず）が接触する。
【００１９】
中央支持金具３２３は、電装ユニット３４０を取り付けるためのものであって、本体部３２３Ａおよび３つの脚部３２３Ｂから形成されている。本体部３２３Ａは、３つの脚部３２３Ｂで支持されており、プリントヒータ３２２から下方に向かって一定距離、離間している。脚部３２３Ｂは、液体容器３２１の底壁３２１Ｂの低段部分球面壁部３２１ｃの下面に溶接されており、下方に向かって延びている。
【００２０】
外周支持金具３２４Ａ，３２４Ｂ，３２４Ｃは、ブリッジ状金具であって（図４参照）、図５に示されるように、本体部ＢＤ１，ＢＤ２，ＢＤ３および一対の脚部ＬＧ１，ＬＧ２，ＬＧ３から形成されている。脚部ＬＧ１，ＬＧ２，ＬＧ３は、液体容器３２１の底壁３２１Ｂの高段円環部３２１ｄの下面に溶接されており、下方に向かって延びている。本体部ＢＤ１，ＢＤ２，ＢＤ３には、ネジ止め孔ＳＰが形成されている。なお、本実施の形態において、このネジ止め孔ＳＰは、底面視において、液体容器３２１の側壁３２１Ａの外縁よりも内側に位置していると共にプリントヒータ３２２の絶縁体と部分的に重なっている。なお、本実施の形態において、外周支持金具３２４Ａ，３２４Ｃは外装体３３０の底壁部材３３３（後述）に対して液体容器３２１を固定するためのものであり、外周支持金具３２４Ｂは温度過昇防止装置３５０を取り付けるためのものである。
【００２１】
（１−２）収容体
収容体３３０は、図３および４に示されるように、側壁部材３３１、底壁部材３３３および肩部材３３５から構成されている。
【００２２】
側壁部材３３１は、円筒形状の金属部材であって、本体ユニット３００の外装体としての役目を担う。
【００２３】
底壁部材３３３は、略椀形状の樹脂部材であって、図３および４に示されるように、容器本体３１０の底部分を覆っている。この底壁部材３３３には、図４に示されるように、容器ユニット３２０の外周支持金具３２４Ａ，３２４Ｃに対向する位置にネジ孔ＯＰが形成されている。そして、ネジＳＣが外からこのネジ孔ＯＰを通って外周支持金具３２４Ａ，３２４Ｃのネジ止め孔ＳＰ（図５参照）に螺合されると、底壁部材３３３が側壁部材３３１の下側に取り付けられると共に、液体容器３２１が下方に引っ張られて、フランジ３２１Ｃと肩部材３３５のフランジ受け部３３５Ｃ（後述）との間に気密構造が形成される。
【００２４】
肩部材３３５は、略円筒形状の樹脂部材であって、図３および４に示されるように、内壁部３３５Ａ、外装部３３５Ｂおよびフランジ受け部３３５Ｃから形成されている。
【００２５】
内壁部３３５Ａは、略円筒形状を呈している。
【００２６】
外装部３３５Ｂは、図１、３および４に示されるように、部分円筒部３３５ｅ、部分円環部３３５ｆおよび注液口部３３５ｇから形成されている。部分円筒部３３５ｅは、内壁部３３５Ａの外径よりも大きな内径を有する部分円筒形状を呈しており、内壁部３３５Ａの上方に配設されている。そして、部分円筒部３３５ｅは、内壁部３３５Ａの上端に連結されている。部分円環部３３５ｆは、部分円筒部３３５ｅの上端から内側に向かって延びている。注液口部３３５ｇは、図１および３に示されるように、正面側に突起しており、注液口の下壁を構成している。また、この外装部３３５Ｂは、図４に示されるように、内壁部３３５Ａと共に、後述するロックレバー機構２５５のロックレバー２５５Ａの爪部２５５ｄを収容することができる空間を形成している。そして、蓋ユニット２５０が本体ユニット３００に装着されている状態において、この空間には、その爪部２５５ｄが収容されている。
【００２７】
フランジ受け部３３５Ｃは、図３および４に示されるように、円環部３３５ｈおよび円筒部３３５ｉから形成されている。円環部３３５ｈは、内壁部３３５Ａの下端から内側に向かって延びている。円筒部３３５ｉは、円環部３３５ｈの内周端から下方に向かって延びている。なお、液体容器３２１のフランジ部３２１Ｃは、図４に示されるように、円環部３３５ｈの上に位置する。
【００２８】
（１−４）電装ユニット
電装ユニット３４０は、図８および９に示されるように、主に、支持台３４１、電気回路形成用金属板（図示せず）、電源台接続用接点端子部（図示せず）、一対のバイメタル型サーモスタット部３４２および電源台接続ボスＭＥから構成されている。
【００２９】
支持台３４１には、電装ユニット３４０を中央支持金具３２３に固定するための固定孔ＯＦが形成されている。そして、この支持台３４１には、電気回路形成用金属板により電気回路が形成されている。なお、この電気回路には、電源台接続用端子部やバイメタル型サーモスタット部３４２が組み込まれている。すなわち、ケトル本体２００が電源台５００から取り外されたり、バイメタル型サーモスタット部３４２が開状態となったりすると、この電気回路は開状態となる。
【００３０】
バイメタル型サーモスタット部３４２は、空焚きを防止するためのものであって、主に、接点（図示せず）、接点開放機構（図示せず）およびバイメタルＴＳから構成されている。なお、バイメタル型サーモスタット部３４２は、図８に示されるように、２つ共に略中央部分の外周寄りに配置されている。バイメタルＴＳは、２つ共に略中央部分の外周寄りの加熱線３２２Ａ上に絶縁被覆層３２２Ｂを介して配置されており、それぞれ、円盤部ＣＰおよび切頭円錐筒部ＴＰから形成されている。切頭円錐筒部ＴＰは、規定温度未満の環境下では、円盤部ＣＰの外縁から外側に向かうに従って上方に傾斜する形状を呈しているが、規定温度以上の温度まで加熱されると、円盤部ＣＰの外縁から外方に向かうに従って下方に傾斜する形状に変化する。なお、本発明の実施の形態において、バイメタルＴＳの規定温度は、およそ１４０℃である。そして、バイメタルＴＳは、常温において切頭円錐筒部ＴＰがプリントヒータ３２２に接するように配設されている。接点開放機構は、レバー機構である。この接点開放機構では、通常、レバー（図示せず）の先端部分が接点保持部材（図示せず）の直下に位置しており、バイメタルＴＳが規定温度以上の温度まで加熱されると、バイメタルＴＳの上記変形によってレバーの先端部分が下方に押し下げられ、その結果、レバーの先端部分により接点保持部材が下方に押し下げられて接点が開放される。
【００３１】
電源台接続ボスＭＥは、電源台５００のボス受け部５２０に着脱自在に嵌め込まれる。なお、電源台接続ボスＭＥが電源台５００のボス受け部５２０に嵌め込められると、電源台接続ボスＭＥに配設される２つの電源台接続用接点端子部と、電源台５００のボス受け部５２０に配設される２つの接点端子部とがそれぞれ接続され、その結果、電源供給回路が形成される。すなわち、かかる場合において電源台５００が外部電源に接続されていれば、ケトル本体２００内部の電気回路に通電が可能な状態、すなわちプリントヒータ３２２が加熱され得る状態となる。
【００３２】
（１−５）温度過昇防止装置
温度過昇防止装置３５０は、図１０〜２０に示されるように、主に、本体部材３５１、ワンショット型サーモスタット３５２およびコイルスプリング３５４から構成されている。
【００３３】
本体部材３５１は、樹脂成形品であって、図８〜２０に示されるように、主に、コイルスプリング収容部３５１Ａ、サーモスタット収容部３５１Ｂ、取付部３５１Ｃおよび端子保護板部３５１Ｄから形成されている。コイルスプリング収容部３５１Ａには、コイルスプリング３５４が収容される。サーモスタット収容部３５１Ｂには、ワンショット型サーモスタット３５２がコイルスプリング３５４により上方に付勢された状態で収容される。取付部３５１Ｃには、ネジ孔ＰＰが形成されている。なお、この取付部３５１Ｃは、外周支持金具３２４Ｂに嵌め込まれる。端子保護板部３５１Ｄは、絶縁体であって、ワンショット型サーモスタット３５２の接続端子３５３がプリントヒータ３２２に接触するのを防止するために設けられている。なお、接続端子３５３は、最終的には、図１９および２０に示されるように取付時において略４５°下方に向かって傾斜するように斜め下方に折り曲げられている。
【００３４】
ワンショット型サーモスタット３５２の上面の長手方向中央部分には、感熱部３５５が上方に向かって突出するように固定されている。そして、このワンショット型サーモスタット３５２は、上述の通り、コイルスプリング３５４によって上方に付勢された状態でサーモスタット収容部３５１Ｂに収容されている。すなわち、この感熱部３５５は、コイルスプリング３５４の付勢力によってプリントヒータ３２２の加熱線３２２Ａに絶縁被覆層３２２Ｂを介して押し付けられている。このため、プリントヒータ３２２の加熱により液体容器３２１の底壁３２１Ｂが変形したとしても感熱部３５５は常にプリントヒータ３２２の加熱線３２２Ａ上の絶縁被覆層３２２Ｂに接触することができる。ワンショット型サーモスタット３５２は、通常の温度では自己復帰しないタイプのサーモスタットであって、本発明の実施の形態ではおよそ２７０℃で動作する。
【００３５】
（２）取っ手
取っ手４００は、使用者がケトル本体２００を持ち運ぶ際に使用者によって把持されるものであって、図３に示されるように、本体ユニット３００の後方に配設されている。そして、この取っ手４００は、図３に示されるように、主に、外装体４１０、電源スイッチ機構４２０および中間蒸気通路ＰＶＭから構成されている。
【００３６】
外装体４１０は、図３に示されるように、側面視において略コの字状の筒体であって、下端部分が容器本体３１０の側壁部材３３１の背面側下端部に結合されており、上端部分が容器本体３１０の側壁部材３３１の背面側上端部に結合されている。なお、外装体４１０の上端部分は、図３に示されるように、容器本体３１０の上側に張り出しており、蓋ユニット２５０が本体ユニット３００に装着されている状態において蓋ユニット２５０と対向している。そして、この外装体４１０の内部には、中間蒸気通路ＰＶＭが形成されていると共に電源スイッチ機構４２０が配設されている。また、この外装体４１０の後方の上端部分には、電源ボタン４２１を露出させるための開口が形成されている。
【００３７】
電源スイッチ機構４２０は、図３に示されるように、主に、電源ボタン４２１、レバー型リフト機構４２２、板バネ部（図示せず）、可動接点（図示せず）、固定接点（図示せず）、押し棒４２３、バイメタル４２４、収容部材４２５、区画パッキン（図示せず）およびネオンランプ４２６から構成されている。なお、この電源スイッチ機構４２０は、電気線を介して本体ユニット３００の電装ユニット３４０に接続されており、一つの電気回路を構成している。電源ボタン４２１は、透明の円柱体であって、前後方向に搖動に可能に収容部材４２５の上端部に軸支されていると共に外装体４１０の上端部分に露出している。そして、この電源ボタン４２１は、レバー型リフト機構４２２のアーム部ＰＳに係合されている。レバー型リフト機構４２２において、アーム部ＰＳが前方に移動させられるとレバー体ＬＢの先端部が支点（図示せず）を軸として下方に回動し、アーム部ＰＳが後方に移動させられるとレバー体ＬＢの先端部が支点を軸として上方に回動する。板バネ部は、レバー体ＬＢの先端部に連結されている。可動接点は、板バネ部を介してレバー体ＬＢに連結されている。固定接点は、可動接点に対向する位置に固定配置されている。押し棒４２３は、レバー型リフト機構４２２の底板に形成される貫通孔に挿通されている。なお、この貫通孔は、レバー体ＬＢの直下に形成されている。また、この貫通孔の長さは、押し棒４２３よりも短い。バイメタル４２４は、レバー型リフト機構４２２の底板（図示せず）のレバー体配置側の反対側において押し棒４２３と対向するように配置されている。そして、このバイメタル４２４は、規定の温度に達すると、上方に反るように変形する。なお、本発明の実施の形態において、このバイメタル４２４の規定温度は、およそ１００℃である。収容部材４２５には、レバー型リフト機構４２２、固定接点、可動接点、板バネ部、押し棒４２３、バイメタル４２４および区画パッキンが収容されている。そして、この収容部材４２５は、区画パッキンによって露出空間と機構収容空間に区画されている。露出空間は中間蒸気通路ＰＶＭと連通しており、機構収容空間は中間蒸気通路ＰＶＭから隔離されている。なお、本実施の形態において、露出空間にはバイメタル４２４が配置され、接点形成空間にはレバー型リフト機構４２２、固定接点、可動接点および板バネ部が配置されている。すなわち、水蒸気が中間蒸気通路ＰＶＭを通過する際、バイメタル４２４は水蒸気に曝されるが、レバー型リフト機構４２２、固定接点、可動接点および板バネ部が水蒸気に曝されることはない。
【００３８】
すなわち、使用者によって電源ボタン４２１が後方に押されると、それに連動してレバー型リフト機構４２２のアーム部ＰＳが前方に押し出され、その結果、レバー体ＬＢの先端部が下方に回動する。その結果、レバー体ＬＢに連結される可動接点が下方に移動して固定接点に接触し、接点が閉じると共にレバー体ＬＢによって押し棒４２３がバイメタル側に押し出される。一方、押し棒４２３がバイメタル側に押し出された状態でバイメタル４２４が水蒸気に曝されて規定の温度に達すると、バイメタル４２４が押し棒４２３をレバー体側に押し出す。その結果、レバー体ＬＢが上方に回動して固定接点から可動接点が離間すると共にアーム部ＰＳが後方に移動させられ、さらに電源ボタン４２１が前方に押し戻される。
【００３９】
ネオンランプ４２６は、図３に示されるように、電源ボタン４２１の近傍に配置されている。そして、このネオンランプ４２６は、電源スイッチ機構４２０およびバイメタル型サーモスタット部３４２の接点が閉じられた状態で点灯し、電源スイッチ機構４２０やバイメタル型サーモスタット部３４２の接点が開放されたり、温度過昇防止装置３５０のワンショット型サーモスタット３５５が動作したりすると消灯する。なお、上述の通り、電源ボタン４２１が透明体であるため、ネオンランプ４２６の点灯・消灯は使用者によって視認される。
【００４０】
中間蒸気通路ＰＶＭは、図３に示されるように、取っ手４００の上端部分注ぎ口側に形成されている。この中間蒸気通路ＰＶＭは、本体ユニット３００に蓋ユニット２５０が装着されている状態で、蓋ユニット２５０の第１蒸気通路ＰＶ１（後述）および第２蒸気通路ＰＶ２（後述）（図３参照）に連通する。すなわち、本体ユニット３００に蓋ユニット２５０が装着されている状態でプリントヒータ３２２によって液体容器３２１内の水が加熱されると、その水は、沸騰して水蒸気になり、第１蒸気通路ＰＶ１、中間蒸気通路ＰＶＭおよび第２蒸気通路ＰＶ２を通って外部空間に排出される。また、この中間蒸気通路ＰＶＭには、上述の通り、バイメタル４２４が露出されている。すなわち、水蒸気が中間蒸気通路ＰＶＭに至ると、その水蒸気の熱によってバイメタル４２４が加熱され、バイメタル４２４の温度が約１００℃に達すると、上述の通り、固定接点から可動接点が離間し、プリントヒータ３２２への通電が遮断される。なお、バイメタル４２４は、一定温度まで冷却されると、自己復帰する。
【００４１】
２．蓋ユニット
蓋ユニット２５０は、本体ユニット３００の上方を覆う着脱自在の略円柱形の蓋体であって、図３および４に示されるように、主に、外装体２５１、注液通路ＰＬ、注液通路開閉機構２５３、第１蒸気通路ＰＶ１、第２蒸気通路ＰＶ２およびロックレバー機構２５５から構成されている。
【００４２】
外装体２５１は、図３に示されるように、主に、上側パネル２５１Ａおよび下側パネル２５１Ｂから構成されている。上側パネル２５１Ａには、図１〜３に示されるように、ロックレバー２５５Ａおよび開閉ボタン２５３Ａを外部に露出させるための開口が形成されている。そして、下側パネル２５１Ｂには注液通路ＰＬおよび第１蒸気通路ＰＶ１が形成されている。また、上側パネル２５１Ａと下側パネル２５１Ｂとの間の空間には、第２蒸気通路ＰＶ２が形成されている。なお、注液通路ＰＬは、注液通路開閉機構２５３によって開閉される。
【００４３】
注液通路開閉機構２５３は、注液通路ＰＬを開閉するための機構であって、図３に示されるように、主に、開閉ボタン２５３Ａ、コイルスプリング２５３Ｂ、開閉弁２５３Ｃおよび係止機構（図示せず）から構成されている。なお、注液通路ＰＬは下側パネル２５１Ｂの注ぎ口側に形成されており、注液通路開閉機構２５３は、主に、上側パネル２５１Ａと下側パネル２５１Ｂとの間の空間の注ぎ口側に配設されている。開閉ボタン２５３Ａは、電気ケトル１００の使用者によって操作される略円柱状の部材であって、上述の通り、外装体２５１の上側パネル２５１Ａに露出している。また、この開閉ボタン２５３Ａは、図３に示されるように、開閉弁２５３Ｃに連結されている。また、この開閉ボタン２５３Ａは、コイルスプリング２５３Ｂによって上方に向かって付勢されている。そして、電気ケトル１００の使用者によってコイルスプリング２５３Ｂの付勢力に抗して開閉ボタン２５３Ａが下方に向かって押圧されると、その押圧動作に連動して開閉弁２５３Ｃが下に押し下げられ、注液通路ＰＬが開放される。なお、このとき、係止機構によって開閉弁２５３Ｃの開状態が維持される。そして、使用者は、このように注液通路ＰＬが開放された状態でケトル本体２００を注ぎ口側に傾けることにより、液体容器３２１内部の液体を湯飲みや茶碗等の他の容器等にその液体を注ぐことができる。その後、その使用者によって開閉ボタン２５３Ａがもう一度押圧されると、係止機構による開閉弁２５３Ｃの係止が解除され、コイルスプリング２５３Ｂの付勢力によって開閉弁２５３Ｃおよび開閉ボタン２５３Ａが上方に押し戻され、開閉弁２５３Ｃにより注液通路ＰＬが閉状態とされる。このとき、使用者がケトル本体２００を注ぎ口側に傾けても、液体容器３２１内部の液体は、開閉弁２５３Ｃによって堰き止められる。
【００４４】
第１蒸気通路ＰＶ１は、液体容器３２１の内部空間と、取っ手４００に設けられる中間蒸気通路ＰＶＭとを連通させる通路であって、下側パネル２５１Ｂの取っ手側に配設されている。なお、この第１蒸気通路ＰＶ１は、注液通路ＰＬとは独立した通路である。一方、第２蒸気通路ＰＶ２は、上記中間蒸気通路ＰＶＭと外部空間とを連通される通路であって、上側パネル２５１Ａと下側パネル２５１Ｂとの間の空間において取っ手側から注ぎ口側に向かって形成されている。なお、この第２蒸気通路ＰＶ２も、第１蒸気通路ＰＶ１と同様、注液通路ＰＬとは独立した通路である。すなわち、液体容器３２１の内部の水が加熱されることによって生じる水蒸気は、第１蒸気通路ＰＶ１、中間蒸気通路ＰＶＭおよび第２蒸気通路ＰＶ２を順に通って注ぎ口から外部空間に排出されることになる。
【００４５】
ロックレバー機構２５５は、蓋ユニット２５０を本体ユニット３００に係止するための機構であって、図４に示されるように、主に、一対のロックレバー２５５Ａおよびコイルスプリング２５５Ｂから構成されている。ロックレバー２５５Ａは、図４に示されるように、それぞれ垂直壁部２５５ｃおよび爪部２５５ｄから形成されている。垂直壁部２５５ｃは、電気ケトル１００の使用者が本体ユニット３００から蓋ユニット２５０を取り外す際に指を触れる操作部分として使用される。爪部２５５ｄは、図４に示されるように、垂直壁部２５５ｃの左右外方に向かって延びている。そして、このロックレバー２５５Ａは、図４に示されるように、上側パネル２５１Ａにおいて、操作部２５５ｃがコイルスプリング２５５Ｂを挟んで互いに対向するように配設されている。すなわち、一対のロックレバー２５５Ａは、コイルスプリング２５５Ｂにより左右外方に向かって付勢されている。このため、蓋ユニット２５０が本体ユニット３００に装着されている状態では、肩部材３３５の外装部３３５Ｂと内壁部３３５Ａとの間に形成されている空間に爪部２５５ｄが収容され、その結果、蓋ユニット２５０が本体ユニット３００に係止されている。そして、使用者が本体ユニット３００から蓋ユニット２５０を取り外したい場合、使用者はコイルスプリング２５５Ｂの付勢力に抗して両側の垂直壁部２５５ｃを中央に寄せるように挟み込んで、肩部材３３５の外装部３３５Ｂと内壁部３３５Ａとの間に形成されている空間から爪部２５５ｄを引き抜き、そのままの状態で蓋ユニット２５０を上方に引き上げる。この結果、本体ユニット３００から蓋ユニット２５０が取り外される。
【００４６】
３．電源台
電源台５００は、図３、図１０および図１１に示されるように、主に、台座５１０、ボス受け部５２０、接点端子部（図示せず）、電源コード接続端子ＴＣ１，ＴＣ２，ＴＣ３、下側カバー部材５３０、電源コード５５０、電源プラグ（図示せず）から構成されている。以下、これらの構成要素について詳述する。
【００４７】
（１）台座
台座５１０は、樹脂成形品であって、図１、３および１０〜１５に示されるように、主に、丸皿状天壁部５１０Ａ、円筒側壁部５１０Ｂ、脚部５１１、内側円筒壁部５１３、円周ネジボス部５１４、第１内側ネジボス部５１４ｍ、第２内側ネジボス部５１４ｎ、排水孔形成壁５１２およびボス受け部支持壁ＤＷから形成されており、電源台５００の上側に配置されている。
【００４８】
図１０に示されるように、丸皿状天壁部５１０Ａの中央部にはボス受け部５２０が配設されている。また、図１０に示されるように、丸皿状天壁部５１０Ａの外周部分には、３つの排水孔ＷＥが円周方向に沿って等間隔に形成されている。
【００４９】
円筒側壁部５１０Ｂは、丸皿状天壁部５１０Ａの外縁から下方に向かって延びている。また、この円筒側壁部５１０Ｂには、図１０および１１に示されるように、３つの電源コード通し穴ＨＡ１，ＨＡ２，ＨＡ３が円周方向に沿って等間隔に形成されている。なお、電源コード通し穴ＨＡ１，ＨＡ２，ＨＡ３は、図１０および１１に示されるように、下方から上方に向かって切り欠かれることによって形成されている。また、電源コード通し穴ＨＡ１，ＨＡ２，ＨＡ３のいずれか１つには、３線式電源コード５６０（図１６および１７参照）または２線式電源コード５５０が通される。
【００５０】
脚部５１１は、図１３に示されるように、丸皿状天壁部５１０Ａの裏面から下方に向かって延びており、円筒側壁部５１０Ｂの下端から僅かに突出している。なお、本実施の形態において、脚部５１１は、図１４に示されるように、３つ設けられており、円周方向に沿って等間隔に配設されている。また、脚部５１１はそれぞれ３つの電源コード通し穴ＨＡ１，ＨＡ２，ＨＡ３の近傍に位置している。
【００５１】
内側円筒壁部５１３は、台座５１０の丸皿状天壁部５１０Ａの裏面から下方に向かって延びる略円筒形の立壁であって、図１３および１４に示されるように、底面視において円筒側壁５１０Ｂの内側に配設されている。そして、この内側円筒壁部５１３には、図１３および１４に示されるように、３線式電源コード用開口ＧＴ１および２線式電源コード用開口ＧＴ２が形成されると共に、円周ネジボス部５１４、第１内側ネジボス部５１４ｍ、第２内側ネジボス部５１４ｎが配設されている。なお、３線式電源コード用開口ＧＴ１および２線式電源コード用開口ＧＴ２は共に矩形の開口であるが、３線式電源コード用開口ＧＴ１の方が２線式電源コード用開口ＧＴ２よりも幅が広くなっている。そして、３線式電源コード用開口ＧＴ１には３線式電源コード５６０（図１６および１７参照）が通され、２線式電源コード用開口ＧＴ２には２線式電源コード５５０（図１４および１５参照）が通される。なお、２線式電源コード５５０は３線式電源コード用開口ＧＴ１を通ることができるが、３線式電源コード５６０は２線式電源コード用開口ＧＴ２を通ることができない。また、３線式電源コード用開口ＧＴ１および２線式電源コード用開口ＧＴ２の開口面は、共に、底面視において、内側円筒壁部５１３の半径方向には直交せず、同半径方向に直交する面に対して傾斜するように設けられている。また、円周ネジボス部５１４には雌ネジ孔ＲＳが形成されており、第１内側ネジボス部５１４ｍには雌ネジ孔ＲＳＭ１が形成されており、第２内側ネジボス部５１４ｎには雌ネジ部ＲＳＭ２が形成されている。なお、台座５１０に下側カバー部材５３０が取り付けられると、底面視において、下側カバー部材５３０の円周ネジ孔ＨＳが円周ネジボス部５１４の雌ネジ孔ＲＳに一致すると共に、下側カバー部材５３０の内側ネジ孔ＨＳＭが第１内側ネジボス部５１４ｍの雌ネジ孔ＲＳＭ１および第２内側ネジボス部５１４ｎの雌ネジ部ＲＳＭ２のいずれかに一致する。なお、本実施の形態では、２線式電源コード５５０が採用される場合、下側カバー部材５３０の内側ネジ孔ＨＳＭが第２内側ネジボス部５１４ｎの雌ネジ部ＲＳＭ２に一致するように下側カバー部材５３０が台座５１０に取り付けられ、３線式電源コード５６０が採用される場合、下側カバー部材５３０の内側ネジ孔ＨＳＭが第１内側ネジボス部５１４ｍの雌ネジ孔ＲＳＭ１と一致するように下側カバー部材５３０が台座５１０に取り付けられる。以下、説明の便宜のため、内側円筒壁部５１３を、第１内側部分円筒壁部５１３Ａ、第２内側部分円筒壁部５１３Ｂおよび第３内側部分円筒壁部５１３Ｃの３つの部分に分ける。
【００５２】
第１内側部分円筒壁部５１３Ａは、略部分円筒形状を呈する。この第１内側部分円筒壁部５１３Ａは、図１３および１４に示されるように、一端で円周ネジボス部５１４に連結されており、他端で第２内側ネジボス部５１４ｎに連結されている。なお、第１内側部分円筒壁部５１３Ａに連結される円周ネジボス部５１４は、図１３および１４に示されるように、第２内側部分円筒壁部５１３Ｂにも連結されている。すなわち、第１内側部分円筒壁部５１３Ａは、円周ネジボス部５１４を介して第２内側部分円筒壁部５１３Ｂに連結されている。また、第２内側ネジボス部５１４ｎは、図１３および１４に示されるように、２線式電源コード用開口ＧＴ２を介して他の円周ネジボス部５１４と対向している。すなわち、他の円周ネジボス部５１４と第２内側ネジボス部５１４ｎとの間に２線式電源コード用開口ＧＴ２が形成されている。また、この第１内側部分円筒壁部５１３Ａでは、長手方向略中央に係合スリットＳＬが形成されている。なお、この係合スリットＳＬには、下側カバー部材５３０の係合爪５３２（図１２参照）が係合される。
【００５３】
第２内側部分円筒壁部５１３Ｂも、第１内側部分円筒壁部５１３Ａと同様に、略部分円筒形状を呈する。この第２内側部分円筒壁部５１３Ｂは、図１３および１４に示されるように、一端で円周ネジボス部５１４に連結されており、他端で他の円周ネジボス部５１４に連結されている。なお、上述の通り、第２内側部分円筒壁部５１３Ｂは、一方の円周ネジボス部５１４を介して第１内側部分円筒壁部５１３Ａに連結されている。また、他方の円周ネジボス部５１４は、図１３および１４に示されるように、３線式電源コード用開口ＧＴ１を介して第１内側ネジボス部５１４ｍと対向している。すなわち、他方の円周ネジボス部５１４と第１内側ネジボス部５１４ｍとの間に３線式電源コード用開口ＧＴ１が形成されている。また、この第２内側部分円筒壁部５１３Ｂでは、第１内側部分円筒壁部５１３Ａと同様に、長手方向略中央に係合スリットＳＬが形成されている。なお、この係合スリットＳＬには、下側カバー部材５３０の係合爪５３２（図１２参照）が係合される。
【００５４】
第３内側部分円筒壁部５１３Ｃも、第１内側部分円筒壁部５１３Ａと同様に、略部分円筒形状を呈する。この第３内側部分円筒壁部５１３Ｃは、図１３および１４に示されるように、一端で第１内側ネジボス部５１４ｍに連結されており、他端で円周ネジボス部５１４に連結されている。なお、上述の通り、第１内側ネジボス部５１４ｍは、３線式電源コード用開口ＧＴ１を介して、第２内側部分円筒壁部５１３Ｂの他方の円周ネジボス部５１４と対向している。また、円周ネジボス部５１４は、２線式電源コード用開口ＧＴ２を介して第２内側ネジボス部５１４ｎと対向している。すなわち、円周ネジボス部５１４と第２内側ネジボス部５１４ｎとの間に２線式電源コード用開口ＧＴ２が形成されている。また、この第３内側部分円筒壁部５１３Ｃでは、第１内側部分円筒壁部５１３Ａと同様に、長手方向略中央に係合スリットＳＬが形成されている。なお、この係合スリットＳＬには、下側カバー部材５３０の係合爪５３２（図１２参照）が係合される。
【００５５】
排水孔形成壁５１２は、台座５１０の丸皿状天壁部５１０Ａの裏面から下方に向かって延びる筒形の立壁であって、図１３および１４に示されるように、円周ネジボス部５１４に連結されている。また、この排水孔形成壁５１２の内部空間は、それぞれ排水孔ＷＥに連通している。すなわち、排水孔ＷＥから浸入する液体は、排水孔形成壁５１２を通って下方に流れることになる。
【００５６】
ボス受け部支持壁ＤＷは、台座５１０の丸皿状天壁部５１０Ａの裏面から下方に向かって延びる略円筒形の立壁であって、図１３および１４に示されるように、底面視において内側円筒壁部５１３の内側に配設される。なお、このボス受け部支持壁ＤＷには、４つの開口が形成されている。すなわち、ボス受け部支持壁ＤＷは４つの部分円筒壁部Ｄ１，Ｄ２，Ｄ３，Ｄ４から構成されているとも言える。なお、ボス受け部支持壁ＤＷに形成される開口には、ボス受け部５２０の翼部が嵌め込まれる。すなわち、ボス受け部５２０は、ボス受け部支持壁ＤＷによって位置決めされる。
【００５７】
（２）ボス受け部
ボス受け部５２０は、円筒体であって、図１０および１２に示されるように、台座５１０の中央部において上方に向かって突出している。なお、このボス受け部５２０には、上述の通り、ケトル本体２００に配設されている電源台接続ボスＭＥを着脱自在に受け入れることができる。また、このボス受け部５２０の内部には、接点端子部が配置されている。また、ボス受け部５２０の裏面には、図１３および１４に示されるように、第１遮蔽壁Ｗ１、第２遮蔽壁Ｗ２、第３遮蔽壁Ｗ３、第４遮蔽壁Ｗ４、第５遮蔽壁Ｗ５、第６遮蔽壁Ｗ６および第７遮蔽壁Ｗ７が形成されている。そして、底面視において、第２遮蔽壁Ｗ２と第３遮蔽壁Ｗ３との間には第１電源コード接続端子ＴＣ１が配設されており、第４遮蔽壁Ｗ４と第５遮蔽壁Ｗ５との間には第２電源コード接続端子ＴＣ２が配設されており、第６遮蔽壁Ｗ６と第７遮蔽壁Ｗ７との間には第３電源コード接続端子ＴＣ３が配設されている。
【００５８】
（３）接点端子部
接点端子部は、上述の通り、ボス受け部５２０の内部に配設されており、ケトル本体２００が電源台５００に載置された状態において、電源台接続ボスＭＥに配設される２つの電源台接続用接点端子部と接続される。
【００５９】
（４）電源コード接続端子
電源コード接続端子ＴＣ１，ＴＣ２，ＴＣ３は、上述の通り、ボス受け部５２０の底面に取り付けられている。そして、これらの電源コード接続端子ＴＣ１，ＴＣ２，ＴＣ３には、電源コード５５０，５６０の単線がそれぞれ接続される。なお、本実施の形態では、２線式電源コード５５０が採用される場合、第２電源コード接続端子ＴＣ２および第３電源コード接続端子ＴＣ３が使用され、３線式電源コード５６０が採用される場合、全ての電源コード接続端子ＴＣ１，ＴＣ２，ＴＣ３が使用される。
【００６０】
（５）下側カバー部材
下側カバー部材５３０は、排水孔形成壁５１２の内部空間および排水孔ＷＥを完全に閉塞しないように電源台５００の下側を覆う盤状の樹脂成形品であって、図１２に示されるように、主に、第１部分円筒壁部５３１Ａ、第２部分円筒壁部５３１Ｂ、第３部分円筒壁部５３１Ｃおよび係合爪５３２から形成されている。なお、本実施の形態において、第１部分円筒壁部５３１Ａと第２部分円筒壁部５３１Ｂとの間隔は、第１部分円筒壁部５３１Ａと第３部分円筒壁部５３１Ｃとの間隔および第２部分円筒壁部５３１Ｂと第３部分円筒壁部５３１Ｃとの間隔よりも広くなっている。なお、下側カバー部材５３０を台座５１０に取り付ける際、第１部分円筒壁部５３１Ａと第２部分円筒壁部５３１Ｂとの間に電源コード５５０，５６０が入るように下側カバー部材５３０の取付角度が調整される。また、この下側カバー部材５３０には、上述の通り、円周ネジ孔ＨＳおよび内側ネジ孔ＨＳＭが形成されている。円周ネジ孔ＨＳおよび内側ネジ孔ＨＳＭは、板厚方向に沿って形成されている。
【００６１】
（６）電源コードおよび電源プラグ
また、電源コード５５０，５６０は、電源コード接続端子ＴＣ１，ＴＣ２，ＴＣ３に接続されている。そして、電源コード５５０，５６０の先端には、外部電源接続用の電源プラグが取り付けられている。なお、本実施の形態において、図１４および１５には２線式電源コード５５０の接続例が示されており、図１６および１７には３線式電源コード５６０の接続例が示されている。以下、それぞれの例について詳述する。
【００６２】
＜２線式電源コードの接続例＞
電源コードとして２線式電源コード５５０が選択される場合、２線式電源コード５５０は、図１４に示されるように、電源コード通し穴ＨＡ１および２線式電源コード用開口ＧＴ２に通される。そして、２線式電源コード５５０の単線５５１Ａ，５５１Ｂは、それぞれ、内側円筒壁部５１３とボス受け部支持壁ＤＷとの間の空間を通って、第２電源コード接続端子ＴＣ２および第３電源コード接続端子ＴＣ３に至り、それらの電源コード接続端子ＴＣ２，ＴＣ３に接続される。そして、図１５に示されるように、内側ネジ孔ＨＳＭが第２内側ネジボス部５１４ｎの雌ネジ部ＲＳＭ２と一致するように、下側カバー部材５３０が台座５１０に取り付けられ、ネジ止めされる。なお、この際、第１部分円筒壁部５３１Ａと第２部分円筒壁部５３１Ｂとの間に２線式電源コード５５０が収まっている。また、かかる場合、使用されていない３線式電源コード用開口ＧＴ１は、下側カバー部材５３０の第１部分円筒壁部５３１Ａの第３部分円筒壁部側の部分によって閉塞される。
【００６３】
＜３線式電源コードの接続例＞
電源コードとして３線式電源コード５６０が選択される場合、３線式電源コード５６０は、図１６に示されるように、電源コード通し穴ＨＡ３および３線式電源コード用開口ＧＴ１に通される。そして、３線式電源コード５６０の単線５６１Ａ，５６１Ｂ，５６１Ｃは、それぞれ、内側円筒壁部５１３とボス受け部支持壁ＤＷとの間の空間を通って、第１電源コード接続端子ＴＣ１、第２電源コード接続端子ＴＣ２および第３電源コード接続端子ＴＣ３に至り、それらの電源コード接続端子ＴＣ１，ＴＣ２，ＴＣ３に接続される。そして、図１７に示されるように、内側ネジ孔ＨＳＭが第１内側ネジボス部５１４ｍの雌ネジ部ＲＳＭ１と一致するように、下側カバー部材５３０が台座５１０に取り付けられ、ネジ止めされる。なお、この際、第１部分円筒壁部５３１Ａと第２部分円筒壁部５３１Ｂとの間に３線式電源コード５６０が収まっている。また、かかる場合、使用されていない２線式電源コード用開口ＧＴ２は、下側カバー部材５３０の第３部分円筒壁部５３１Ｃの第２部分円筒壁部側の部分によって閉塞される。
【００６４】
＜本発明の実施の形態に係る電気ケトルの特徴＞
（１）
本発明の実施の形態に係る電気ケトル１００では、電源台５００において３線式電源コード用開口ＧＴ１および２線式電源コード用開口ＧＴ２が設けられている。このため、規制が異なる販売対象国に電気ケトル１００を販売する場合であっても一種類の電源台で足り、販売対象国毎にその規制に応じた電源台を製造する必要がない。したがって、電気ケトル１００の電源台の金型の作製費等を大幅に削減することができると共に、電源台の部品管理を簡素にすることができる。よって、この電気ケトル１００の電源台５００を採用すれば、規制が異なる販売対象国が増加しても製造コストおよび電源台の部品管理の負担を増大させることがない。
【００６５】
（２）
本発明の実施の形態に係る電気ケトル１００では、下側カバー部材５３０は、底面視において台座５１０に対する取付角度を変えることによって、選択される１つの電源コード用開口ＧＴ１，ＧＴ２を開放すると共に他の開口ＧＴ１，ＧＴ２を閉塞する。このため、電源台５００の組立作業者は、容易に取付ミスに気付くことができ、延いては不良品の発生を抑制することができる。
【００６６】
（３）
本発明の実施の形態に係る電気ケトル１００では、電源台５００において、３線式電源コード用開口ＧＴ１および２線式電源コード用開口ＧＴ２の開口面が、共に、底面視において、内側円筒壁部５１３の半径方向には直交せず、同半径方向に直交する面に対して傾斜するように設けられている。このため、電気ケトル１００では、電源台５００の台座５１０と下側カバー部材５３０の間の空間に電源コード５５０，５６０を収納する際や、電気ケトル使用時に電源コード５５０，５６０の余分な部分を同空間に納める際に電源コード５５０，５６０の巻き取り方向を一定とすることができるだけでなく、屈曲による電源コード５５０，５６０の破断を抑制することができる。
【００６７】
（４）
本発明の実施の形態に係る電気ケトル１００では、電源台５００の台座５１０の円筒側壁部５１０Ｂにおいて、３つの電源コード通し穴ＨＡ１，ＨＡ２，ＨＡ３が円周方向に沿って等間隔に形成されている。このため、この電気ケトル１００の電源台５００では、巻き取った電源コード５５０，５６０任意の電源コード通し穴ＨＡ１，ＨＡ２，ＨＡ３から取り出すことができ、使用者の利便性を高めることができる。
【００６８】
＜変形例＞
（Ａ）
先の実施の形態に係る電気ケトル１００では３線式電源コード用開口ＧＴ１および２線式電源コード用開口ＧＴ２が設けられたが、さらに他の電源コード用開口が設けられてもよい。
【００６９】
（Ｂ）
先の実施の形態に係る電気ケトル１００では３線式電源コード用開口ＧＴ１と２線式電源コード用開口ＧＴ２とは幅寸法のみが相違していたが、これらの電源コード用開口ＧＴ１，ＧＴ２は、さらに高さ寸法が相違していてもよいし、形状が相違していてもよい。
【符号の説明】
【００７０】
１００      電気ケトル（電気湯沸器）
２００      ケトル本体（湯沸器本体）
５００      電源台（給電台）
５１０      台座（表側部材）
５１３      内側円筒壁部（立壁）
５３０      下側カバー部材（裏側部材）
５５０      ２線式電源コード（外部電源接続線）
５６０      ３線式電源コード（外部電源接続線）
ＧＴ１      ３線式電源コード用開口（複数の開口）
ＧＴ２      ２線式電源コード用開口（複数の開口）
【図１】
2014233349.tif 000003
【図２】
2014233349.tif 000004
【図３】
2014233349.tif 000005
【図４】
2014233349.tif 000006
【図５】
2014233349.tif 000007
【図６】
2014233349.tif 000008
【図７】
2014233349.tif 000009
【図８】
2014233349.tif 000010
【図９】
2014233349.tif 000011
【図１０】
2014233349.tif 000012
【図１１】
2014233349.tif 000013
【図１２】
2014233349.tif 000014
【図１３】
2014233349.tif 000015
【図１４】
2014233349.tif 000016
【図１５】
2014233349.tif 000017
【図１６】
2014233349.tif 000018
【図１７】
2014233349.tif 000019